(57)【要約】【課題】  簡単な構造で折り畳みが可能で、確実にごみ袋を保持し、なおかつ美観を損なうことがなくさらに、収納や搬送に便利で、また製作コストが安価な、ごみ袋用スタンドを提供する。【解決手段】  複数の脚体１、下部支持材２、上部支持材３、３’及び下枠４と上枠５からなる押え枠６を主な構成部材とし、下枠４と上枠５は連結ピン７で回動可能に接合され、下部支持材２及び上部支持材３、３’は、脚体１にそれぞれ回動可能に装着されている。【選択図】  図２
2005343689.tif 000002
【特許請求の範囲】
【請求項１】
上端を面取り又は先細状としかつ、係止用突起を形成した丸棒又は円筒状の複数の脚体と、
前記脚体の下方に装着される、両端を屈曲して環状の挿通穴を形成してなる複数の下部支持材と、
前記脚体の上方に装着される、両端を屈曲して環状の挿通穴を形成してなる複数の上部支持材と、
底部に嵌合孔を形成した連結ピンにより回動可能に接合された上枠と下枠よりなり、前記上部支持材の上面に保持され、外側に折り返されたごみ袋の開口周縁部を、上方より押圧、保持すると共に水平に折り畳み可能とした押え枠と、
前記脚体の下端部が挿着、固定される複数のアジャスタと、
よりなることを特徴とした、折り畳み可能なごみ袋用スタンド。
【請求項２】
前記押え枠の形状が、平面視、四角形、円形又は多角形状であることを特徴とした、請求項１記載の折り畳み可能なごみ袋用スタンド。
【請求項３】
前記下部支持材及び上部支持材の挿通穴は少なくとも、前記脚体の直径とほぼ同径又は、やや大とされることを特徴とした、請求項１ないし請求項２記載の折り畳み可能なごみ袋用スタンド。
【請求項４】
前記脚体の上方に上部支持材を挿通、保持したとき、該脚体の上端が上部支持材の上面より突出していることを特徴とした、請求項１ないし請求項３記載の折り畳み可能なごみ袋用スタンド。
【請求項５】
前記脚体、下部支持材、上部支持材及び押え枠が、金属又は硬質合成樹脂を素材としてなることを特徴とした、請求項１ないし請求項４記載の折り畳み可能なごみ袋用スタンド。
【発明の詳細な説明】
【技術分野】
【０００１】  本発明は、折り畳み可能なごみ袋用スタンドに係り、特に不使用時又は搬送時には折り畳んで収納したり、搬送できる折り畳み可能なごみ袋用スタンドに関する。
【背景技術】
【０００２】  一般的に、ポリエチレン又はビニール製のごみ袋などは、平面視、円形又は四角形などのごみ容器の内側に収容し、袋の開口上周縁をごみ容器の外側に折り返して使用しているが、見栄えが悪いうえに特に屋外などでは容量が大きいものは、移動や搬送に不便であり、かつ袋の開口上周縁を固定していないときは、強風によって吹き飛ばされ、内部のごみが周辺に散乱することがある。【０００３】  また上記のごみ袋などをスタンドに係止するものが多数提案されている。例えば、実開平７−８３０８号、実開平２−７９２１５号、実開昭６１−１１３７０２号などがあり、実開平７−８３０８号は折り畳むのが不可能であるために不使用時の収納に不便であるという欠点があり、実開平２−７９２１５号は、左右一対の脚体を屏風のように立てて使用するので、少しの風で転倒し易いので屋外の設置には不向きであり、実開昭６１−１１３７０２号は、上縁に設けた引掛突起にごみ袋の開口された上周縁を突き挿して使用するため、ごみ袋の着脱時に引掛突起で手指を負傷するおそれがある。
【特許文献１】  実開平７−８３０８号公報
【特許文献２】  実開平２−７９２１５号公報
【特許文献３】  実開昭６１−１１３７０２号公報
【発明の開示】
【発明が解決しようとする課題】
【０００４】  本発明は、上記従来のごみ袋やごみ袋スタンドが有する種々の問題点を解決し、簡単な構造で折り畳みが可能で、しかも確実にごみ袋を保持し、なおかつ美観を損なうことがなくさらに、収納や搬送に便利でまた製作コストが安価な折り畳み可能なごみ袋用スタンドを提供することを目的としている。
【課題を解決するための手段】
【０００５】  そのための本発明に係る第１の発明は、上端を面取り又は先細状としかつ、係止用突起を形成した丸棒又は円筒状の複数の脚体と、前記脚体の下方に装着される、両端を屈曲して環状の挿通穴を形成してなる複数の下部支持材と、前記脚体の上方に装着される、両端を屈曲して環状の挿通穴を形成してなる複数の上部支持材と、底部に嵌合孔を形成した連結ピンにより回動可能に接合された上枠と下枠よりなり、前記上部支持材の上面に保持され、外側に折り返されたごみ袋の開口周縁部を、上方より押圧、保持すると共に水平に折り畳み可能とした押え枠と、前記脚体の下端部が挿着、固定される複数のアジャスタと、よりなることを特徴としている。【０００６】  第２の発明は、請求項１記載の第１の発明において、前記押え枠体の形状が、平面視、四角形、円形又は多角形状であることを特徴としている。【０００７】  第３の発明は、請求項１ないし請求項２記載記載の発明において、前記下部支持材及び上部支持材の挿通穴は少なくとも、前記脚体の直径とほぼ同径又は、やや大とされることを特徴としている。【０００８】  第４の発明は、請求項１ないし請求項３記載の発明において、前記脚体の上方に上部支持材を挿通、保持したとき、該脚体の上端が上部支持材の上面より突出していることを特徴としている。【０００９】  第５の発明は、請求項１ないし請求項４記載の発明において、前記脚体、下部支持材、上部支持材及び押え枠が、金属又は硬質合成樹脂を素材としてなることを特徴としている。
【発明の効果】
【００１０】  本発明に係る折り畳み可能なごみ袋用スタンドは、請求項１ないし請求項５記載の発明により以下の効果を奏する。即ち、本発明を構成する主な部材が、複数の脚体、下部支持材、上部支持材及び押え枠からなるので、構造がシンプルで組み立てが容易であるために製作コストが安価となり、また脚体に装着される上下支持材及び押え枠は、それぞれ回動可能とされているので、簡単に折り畳むことができ、不使用時における倉庫内の収納や搬送には極めて便利であり、しかも確実にごみ袋を保持し、なおかつ美観を損なうことがない。
【発明を実施するための最良の形態】
【００１１】  以下、添付の図面を参照して発明の実施形態を詳述する。図１は本発明に係る、折り畳み可能なごみ袋用スタンド（以下、スタンドＳという）を使用した状態を示す斜視図で、図２はスタンドＳを構成する部材を分離した状態の斜視図、図３は図１における３−３線一部切欠拡大断面図、図４は図３のＡ部拡大図、図５はスタンドＳを折り畳んだ状態の平面図、図６は他の実施形態を示すスタンドＳ’の平面図である。【００１２】  図１〜図３に示すように、スタンドＳは、複数の脚体１、下部支持材２、上部支持材３、３’及び下枠４と上枠５からなる押え枠６を主な構成部材としている。また７は下枠４と上枠５を接合するための連結ピンで、底部にはかしめ用の孔７ａが形成され、８はゴム又は合成樹脂製のアジャスタで、上部に下部支持材２を固定するための挿込孔８ａが形成されている。【００１３】  脚体１は金属製の丸棒で、その上端１ａは図２〜図４に示すように先細状又は面取り（不図示）され、ごみ袋Ｇの開口上周縁を突き通し易くしており、上端１ａより下方位置に上部支持材３を係止するための突起１ｂが溶接などによって形成されている。【００１４】  下部支持材２及び上部支持材３、３’は、脚体１より細径の鋼鉄線よりなり、図２に示すようにそれぞれ両端部を屈曲して環状の挿通穴２ａ、２ｂ及び３ａ、３ｂ、３’ａ、３’ｂが形成され、また上部支持材３’の両側には上部支持材３と高さを同一（面一）にするために、やや上方に屈折３’ｃ、３’ｄされている。【００１５】  押え枠６の下枠４の両端には、連結ピン７が挿入される挿入孔４ａ、４ｂが穿設され、また上枠５の両端は、下枠４の両端に交差して重なるように段差を設けると共に、連結ピン７が挿入される挿入孔５ａ、５ｂが穿設されている。なお下枠４の挿入孔４ａ、４ｂ及び上枠５の挿入孔５ａ、５ｂの直径は、連結ピン７の軸径７ｂとほぼ同径又はやや大径としている。【００１６】  スタンドＳの組み立て及びごみ袋Ｇの装着は、以下の手順で行われる。先ず押え枠６の下枠４の両端に上枠５の両端を交差して重ね、下枠４の挿入孔４ａには上枠５の挿入孔５ｂを、下枠４の挿入孔４ｂには上枠５の挿入孔５ａがそれぞれ合致するようにして、連結ピン７を挿入し、これを反転させ連結ピン７の底部に形成されたかしめ用の孔７ａをポンチとハンマーなどによりこれをかしめると、下枠４の両端と上枠５の両端は回動可能に接合され、押え枠６の製作は終了する。（図３及び図４参照）【００１７】  次に、アジャスタ８の挿込孔８ａと下部支持材２の挿通穴２ａ、２ｂをそれぞれ合致させ、脚体１の下端部１ｃを下部支持材２の挿通穴２ａ、２ｂから順次挿入してアジャスタ８の挿込孔８ａで固定する。【００１８】  続いて上部支持材３’の挿通穴３’ａ、３’ｂを、次に上部支持材３の挿通穴３ａ、３ｂを脚体１の上端１ａから順次下方に向けて挿通させると、図３及び図４に示すように、上部支持材３’と上部支持材３は脚体１に設けた突起１ｂに係止され全体形状が、平面視ほぼ四角形状に形成される。【００１９】  次に、予め用意されたスタンドＳに適合するポリエチレン又はビニール製のごみ袋Ｇの底部を、四角形状に形成された上部支持材３、３’及び下部支持材２の内側に沿って床面又は地面Ｆ．Ｌまで落とし込んだ後、ごみ袋Ｇの開口部の周縁を脚体１の上端１ａに当接させ、これを下方に押圧すればごみ袋Ｇは、脚体１の先端部に係止される。【００２０】  続いてその状態で、押え枠６を脚体１の上端１ａに載置し、左右の手で均等に下方に押圧すれば、図３及び図４に示すように、脚体１の上端１ａは下枠４の孔７ａに嵌装されると共にごみ袋Ｇの開口部の周縁は、下枠４と上部支持材３、３’に強固に挟着されれる。なお図１に示すＮは、ごみ袋Ｇの膨出と破損防止用のネットであり、Ｂは同じくごみ袋Ｇの底部を支持するバーで、それぞれ着脱自在に装着されている。【００２１】  ごみ袋Ｇに所定量のごみが収容され、これをスタンドＳから取り外すときは、押え枠６の下枠４を両手で上方に引き上げて脚体１の上端１ａから解放した後、同様にごみ袋Ｇの開口部の周縁を脚体１の上端１ａから取り外し、ごみ袋Ｇ全体をスタンドＳ内から引き上げて開口部の周縁を強く緊縛しゴミステーションなどに搬入して作業は終了する。【００２２】  スタンドＳを不使用時、倉庫などに収納したり車で搬送するための折り畳み作業は、押え枠６を脚体１の上端１ａに被冠した後、下枠４と上枠５の連結部を両手で把持し、図１に示す矢印Ｐ方向に加力すると、下枠４と上枠５は連結ピン７をヒンジ軸として回動し、上部支持材３、３’及び下部支持材２はそれぞれ脚体１を軸心として回動して、図５のようにほぼ直線状となる。【００２３】  図６は本発明に係る他の実施形態のスタンドＳ’を示すもので、押え枠６’を円形状としたもので、その他の主な部材である脚体、下部支持材及び上部支持材の構造及び作用などは同様であるので説明は省略する。【００２４】  本発明に係るスタンドＳの実施形態を四角形、円形について説明したが、特許請求項にあるようにその他各種の多角形についても実施可能であり、またその素材、寸法などは本発明の技術的思想の範囲内で種々改変が可能であり、本発明はこの改変された発明に及ぶことは当然である。
【産業上の利用可能性】
【００２５】  本発明に係る折り畳み可能なごみ袋用スタンドは、構造がシンプルで組み立てが容易であり、かつ簡単に折り畳むことができ、不使用時における倉庫内の収納や搬送には極めて便利であり、しかも確実にごみ袋を保持し、なおかつ美観を損なうことがないのでその用途として家庭用は勿論、工場、倉庫などの職場、学校その他各種イベント会場のように多数の人が集まる場所に最適であり、多くの需要が見込まれる。
【図面の簡単な説明】
【００２６】
【図１】本発明に係る、折り畳み可能なごみ袋用スタンドを使用した状態を示す斜視図である。
【図２】同スタンドＳを構成する部材を分離した状態の斜視図である。
【図３】図１における３−３線一部切欠拡大断面図である。
【図４】図３のＡ部拡大図である。
【図５】スタンドＳを折り畳んだ状態の平面図である。
【図６】他の実施形態を示す平面図である。
【符号の説明】
【００２７】Ｓ              スタンド
Ｓ’            スタンド
Ｇ              ごみ袋
１              脚体
２              下部支持材
３、３’        上部支持材
４              下枠
５              上枠
６              押え枠
７              連結ピン
８              アジャスタ
【図１】
2005343689.tif 000003
【図２】
2005343689.tif 000004
【図３】
2005343689.tif 000005
【図４】
2005343689.tif 000006
【図５】
2005343689.tif 000007
【図６】
2005343689.tif 000008